(57)【要約】【解決手段】隣接する側壁２、３同士のロック状態を解除するロック解除機構が、一対の押出杆４と１個の操作部材５とから構成されており、前記操作部材には、前記押出杆の嵌合短軸４ｂが嵌合するカム溝５ｅと前記操作部材を上方に付勢する弾性板条片５ｃが形成されており、且つ、前記操作部材が取り付けられる側壁には、前記弾性板条片が載置される係止リブ３ｈが形成されている折り畳みコンテナーに関するものである。【効果】操作部材の一回の操作（ワンアクション）のみにより、隣接する側壁同士のロック状態を解除することができ、従って、ロック状態の解除作業の作業性が向上する。【選択図】図８
2004292030.tif 000002
【特許請求の範囲】
【請求項１】
底部と底部にヒンジ部材を介して連結された４つの側壁を有するとともに、底部に側壁を重ねるようにして折り畳むことが可能な折り畳みコンテナーにおいて、隣接する側壁同士のロック状態を解除するロック解除機構が、一対の押出杆と１個の操作部材とから構成されており、前記操作部材には、前記押出杆の嵌合短軸が嵌合するカム溝と前記操作部材を上方に付勢する弾性板条片が形成されており、且つ、前記操作部材が取り付けられる側壁には、前記弾性板条片が載置される係止リブが形成されていることを特徴とする折り畳みコンテナー。
【請求項２】
少なくとも、上記操作部材に配設された弾性板条片が、前記操作部材の板状翼部により覆われていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられた状態においては、長側壁或いは短側壁が、底部方向に倒れないように、互いに、ロック機構により、ロックされるように構成されており、ロック機構は、長側壁或いは短側壁に形成された、先端に係止突部が形成された片持ち状の係止弾性片を有し、箱型に組み立てられた状態において、係止弾性片が形成されていない一方の側壁の内壁面に、係止弾性片に形成された係止突部を当接することにより、側壁が、底部方向に倒れないように構成されている。
【０００３】
上述した、箱型に組み立てられた状態において、係止弾性片に形成された係止突部を、係止突部が形成されていない側壁の内壁面に当接することにより、側壁が、底部方向に倒れないように構成されているロック機構を有する折り畳みコンテナーは、本願出願人が、先に出願した特開２００２−２４０８２２公報に開示されている。
【０００４】
【発明が解決しようとする課題】
上述したロック機構の解除の際には、長側壁の両端部に配設された一対のロック解除部材を、それぞれ別個に操作しなければならず、従って、ロック機構の解除作業の作業性が悪いという問題があった。
【０００５】
また、ロック解除部材に形成された復帰用の弾性条片が、箱型に組み立てられた折り畳みコンテナーの外側に露出しているので、破損し易いとともに、折り畳みコンテナーの外見上の見てくれも悪いという問題があった。
【０００６】
本発明の目的は、上述した従来の折り畳みコンテナーが有する課題を解決することにある。
【０００７】
【課題を解決するための手段】
本発明は、上述した目的を達成するために、底部と底部にヒンジ部材を介して連結された４つの側壁を有するとともに、底部に側壁を重ねるようにして折り畳むことが可能な折り畳みコンテナーにおいて、第１には、隣接する側壁同士のロック状態を解除するロック解除機構が、一対の押出杆と１個の操作部材とから構成されており、前記操作部材には、前記押出杆の嵌合短軸が嵌合するカム溝と前記操作部材を上方に付勢する弾性板条片が形成されており、且つ、前記操作部材が取り付けられる側壁に、前記弾性板条片が載置される係止リブを形成したものであり、第２には、少なくととも、前記操作部材に配設された弾性板条片を、操作部材の板状翼部により覆うようにしたものである。
【０００８】
【実施例】
以下に、本発明の実施例について説明するが、本発明の趣旨を越えない限り何ら、本実施例に限定されるものでない。
【０００９】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１０】
先ず最初に、主として、図２、図４及び図５を用いて、長側壁２について説明する。
【００１１】
長側壁２は、横長の略長方形状の板状部２ａを有しており、長側壁２の両垂直端には、板状部２ａに略垂直に、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、３個の嵌合孔２ｂ１が形成されている。）。
【００１２】
長側壁２の板状部２ａの上部両端角部付近には、それぞれ、コの字状のスリット２ｃが形成されており、コの字状のスリット２ｃを形成することにより、スリット２ｃで囲まれた部分が、水平方向に延在する片持ち状の係止弾性片２ｄが形成されている。係止弾性片２ｄの内壁面側の先端には、係止突部２ｄ１が突設されており、係止突部２ｄ１の係合枠２ｂ側は、係合枠２ｂの内壁面側の面２ｂ２と略平行な垂直面２ｄ２に形成されているとともに、係止突部２ｄ１には、垂直面２ｄ２から長側壁２の内壁面に向かって傾斜面２ｄ３が形成されている。また、係止弾性片２ｄの係止突部２ｄ１は、その先端が、長側壁２の内壁面から、所定量、突出するように形成されている。
【００１３】
次に、図４〜図６を用いて、短側壁３について説明する。
【００１４】
短側壁３は、横長の略長方形状の板状部３ａを有しており、板状部３ａには、板状部３ａの上下端辺及び左右端辺に沿って、板状部３ａの面に対して垂直に外側に延在する周辺リブ３ｂが延設されている。周辺リブ３ｂを形成する略垂直な側部３ｂ１の外側には、縦長の張出部３ｃが形成されており、張出部３ｃには、側部３ｂ１に沿って適当数の嵌合突部３ｃ１が形成されている（本実施例においては、上述した係合枠２ｂに形成された３個の嵌合孔２ｂ１に対応して、３個の嵌合突部３ｃ１が形成されている。）。嵌合突部３ｃ１は、上述した長側壁２の係合枠２ｂに形成された嵌合孔２ｂ１に挿入できるように構成されている。
【００１５】
短側壁３の周辺リブ３ｂを構成する上端水平部３ｂ２の下方には、所定の間隔を置いて、上端水平部３ｂ２と平行な上部水平リブ３ｄが、相対する側部３ｂ１を連結するように形成されている。周辺リブ３ｂを構成する相対する側部３ｂ１側に位置する上端水平部３ｂ２と上部水平リブ３ｄとは、一対の側部側垂直リブ３ｅにより連結されており、側部側垂直リブ３ｅには、後述する操作杆が挿入可能な透孔３ｅ１が穿設されている。また、側部側垂直リブ３ｅの中央部寄り付近には、同じく、上端水平部３ｂ２と上部水平リブ３ｄとを連結する一対の中間垂直リブ３ｆが形成されており、中間垂直リブ３ｆにも、後述する操作杆が挿入可能な透孔３ｆ１が穿設されている。更に、中間垂直リブ３ｆの中央部寄り付近には、同じく、上端水平部３ｂ２と上部水平リブ３ｄとを連結する一対の中央寄り垂直リブ３ｇが形成されており、中央寄り垂直リブ３ｇにも、後述する押出杆が挿入可能な透孔３ｇ１が穿設されているとともに、中央寄り垂直リブ３ｇの相対する側面には、縦方向に延在する庇部３ｇ２が形成されている。更にまた、上端水平部３ｂ２と上部水平リブ３ｄとの間に位置する側部３ｂ１にも、後述する押出杆が挿入可能な透孔３ｂ１’が穿設されている。そして、周辺リブ３ｂを構成する上端水平部３ｂ２と相対する中央寄り垂直リブ３ｇと上部水平リブ３ｄとにより囲まれた板状部３ａの中央部領域Ｒ１には、後述する操作部材が配設されるように構成されており、この中央部領域Ｒ１には、所定の間隔を置いて、一対の係止リブ３ｈが突設されている。
【００１６】
上述した一対の側部側垂直リブ３ｅは、短側壁３の中央垂直線を挟んで、線対称に配置されており、また、一対の中間垂直リブ３ｆも、短側壁３の中央垂直線を挟んで、線対称に配置されており、更に、中央寄り垂直リブ３ｇも、短側壁３の中央垂直線を挟んで、線対称に配置されている。また、側部側垂直リブ３ｅに穿設された透孔３ｅ１、中間垂直リブ３ｆに穿設された透孔３ｆ１、中央寄り垂直リブ３ｇに穿設された透孔３ｇ１及び上端水平部３ｂ２と上部水平リブ３ｄとの間に位置する側部３ｂ１に穿設された透孔３ｂ１’は、周辺リブ３ｂの側部３ｂ１から見た場合に、重なるように配置されている。
【００１７】
次に、主として、図７及び図８を用いて、ロック解除機構を構成する押出杆４及び操作部材５について説明する。
【００１８】
押出杆４は、上述した短側壁３の上端水平部３ｂ２と平行な上部水平リブ３ｄとを連結する側部側垂直リブ３ｅに穿設された透孔３ｅ１、中間垂直リブ３ｆに穿設された透孔３ｆ１及び中央寄り垂直リブ３ｇに穿設された透孔３ｇ１に挿入なロッド部４ａと、ロッド部４ａの一端に、ロッド部４ａに略垂直に突設されたカムフォロワーとして機能する嵌合短軸４ｂとを有している。押出杆４は、合成樹脂で一体に成形されている。
【００１９】
操作部材５は、箱型状の中央把手部５ａを有しており、中央把手部５ａは、天板５ａ１と、底板５ａ２と、奥板５ａ３と、天板５ａ１と底板５ａ２の両端部を連結する相対する側板５ａ４とから構成されている。中央把手部５ａを構成する側板５ａ４の先端からは、奥板５ａ３と略平行に、且つ、側板５ａ４と略同じ高さを有する方形状の板状翼部５ｂが延在しており、板状翼部５ｂの下端には、中央把手部５ａの底板５ａ２に並設されているとともに、側板５ａ４と略同じ幅の下部水平枠５ｂ１が形成されている。また、板状翼部５ｂの先端には、中央把手部５ａの側板５ａ４と略平行に、且つ、側板５ａ４より幅狭の垂直枠５ｂ２が形成されている。また、操作部材５の中央把手部５ａを構成する側板５ａ４の上端には、その先端が、側板５ａ４にのみ連結されているとともに、下方に傾斜した弾性板条片５ｃが形成されている。
【００２０】
板状翼部５ｂの下部水平枠５ｂ１や垂直枠５ｂ２が延設されている面には、垂直枠５ｂ２の上端部から中央把手部５ａの側板５ａ４の下端部方向に延在する互いに平行な一対のカム条片５ｄが形成されており、互いに平行なカム条片５ｄ間には、上述した押出杆４の嵌合短軸４ｂが挿入可能なカム溝５ｅが、板状翼部５ｂの一方の対角に沿って延在する形成されている。また、板状翼部５ｂの先端に形成された垂直枠５ｂ２の上端部及び下端部には、係止突起５ｆ１が、板状翼部５ｂの先端を越えて外側に位置する係止部材５ｆが形成されている。なお、５ｇは、上方に位置するカム条片５ｄの中程に連接されているとともに、短側壁３の板状部３ａに連接された垂直補強リブであり、カム条片５ｄを補強する機能を有するものである。
【００２１】
上述した中央把手部５ａと中央把手部５ａを挟持するように配置された板状翼部５ｂとからなる操作部材５の横幅は、周辺リブ３ｂを構成する上端水平部３ｂ２と相対する中央寄り垂直リブ３ｇと上部水平リブ３ｄとにより囲まれた板状部３ａの中央部領域Ｒ１の横幅と略同じ幅に形成されており、また、操作部材５の高さは、中央部領域Ｒ１の高さより低く形成されている。従って、後述するように、操作部材５が、短側壁３の中央部領域Ｒ１に取り付けられた際には、操作部材５は、中央部領域Ｒ１を左右方向（水平方向）には移動することができないが、上下方向には移動可能なように構成されている。また、後述するように、操作部材５が、短側壁３の中央部領域Ｒ１に取り付けられた際には、板状翼部５ｂの下部水平枠５ｂ１や垂直枠５ｂ２やカム条片５ｄ等が形成されている面（内面）５ｂ’が、短側壁３の板状部３ａの外面（折り畳みコンテナーを箱型に組み立てた際に、外側に位置する面）に対面するように構成されている。そして、短側壁３の中央部領域Ｒ１に取り付けられた際に、外側に位置する板状翼部５ｂの面（外面）には、突出するようなものは形成されておらず、平坦に形成されており、また、天板５ａ１と底板５ａ２と奥板５ａ３と相対する側板５ａ４とにより形成された中央把手部５ａの凹部が、外側に位置している。
【００２２】
上述した構成を有する操作部材５は、上述した押出杆４と同様に、合成樹脂で一体に成形されている。
【００２３】
ロック解除機構を構成する押出杆４及び操作部材５を、短側壁３に取り付けるには、先ず最初に、押出杆４のロッド部４ａを、側部側垂直リブ３ｅに穿設された透孔３ｅ１、中間垂直リブ３ｆに穿設された透孔３ｆ１、中央寄り垂直リブ３ｇに穿設された透孔３ｇ１及び上端水平部３ｂ２と上部水平リブ３ｄとの間に位置する側部３ｂ１に穿設された透孔３ｂ１’に挿入する。次いで、押出杆４のロッド部４ａの一端に突設された嵌合短軸４ｂが、操作部材５の板状翼部５ｂに形成された互いに平行なカム条片５ｄ間に形成されたカム溝５ｅに挿入するように、操作部材５を配置し、その後、周辺リブ３ｂを構成する上端水平部３ｂ２と相対する中央寄り垂直リブ３ｇと上部水平リブ３ｄとにより囲まれた板状部３ａの中央部領域Ｒ１に、操作部材５を押し込むことにより、操作部材５の板状翼部５ｂの垂直枠５ｂ２に形成された係止部材５ｆの係止突起５ｆ１を、中央寄り垂直リブ３ｇの相対する側面に形成された庇部３ｇ２に嵌合させる。このようにして、押出杆４及び操作部材５を、短側壁３に取り付けるが、押出杆４及び操作部材５が、短側壁３に取り付けられた際には、操作部材５の中央把手部５ａを構成する側板５ａ４の上端から延在する弾性板条片５ｃの先端部が、短側壁３の板状部３ａの中央部領域Ｒ１に突設された係止リブ３ｈの上面に載置されるように構成されており、操作部材５は、弾性板条片５ｃの弾性力により、上方に移動するように付勢されている。
【００２４】
次に、短側壁３に、上述したロック解除機構を構成する押出杆４及び操作部材５が取り付けられた折り畳みコンテナーの組み立て作業及び折り畳み作業について説明する。
【００２５】
折り畳みコンテナーを、図３に示されている折り畳まれた状態から、図１に示されている箱型に組み立てるには、先ず最初に、略水平状態の長側壁２を、垂直方向に回動させて、図２に示されているように、略垂直に立てる。次いで、底部１に重なるようにして折り畳まれている短側壁３を、略水平状態から垂直方向に回動させると、図４に示されているように、短側壁３の張出部３ｃが、長側壁２に形成された係合枠２ｂに対向するように接近し、更に、短側壁３を、垂直方向に回動させると、短側壁３の張出部３ｃの端部垂直面３ｃ２が、長側壁２の内壁面から突出している係止弾性片２ｄの傾斜面２ｄ３に乗り上げながら係止突部２ｄ１を押して、係止弾性片２ｄを、外側方向に、係止弾性片２ｄの弾性に抗して、湾曲させる。更に、短側壁３を、垂直方向に回動させると、短側壁３の張出部３ｃに突設された嵌合突部３ｃ１が、長側壁２の係合枠２ｂに形成された嵌合孔２ｂ１に挿入される。この短側壁３の張出部３ｃに突設された嵌合突部３ｃ１が、長側壁２の係合枠２ｂに形成された嵌合孔２ｂ１に挿入される過程において、短側壁３の張出部３ｃの端部垂直面３ｃ２から、長側壁２に形成された係止弾性片２ｄの係止突部２ｄ１が外れて、係止弾性片２ｄが、その弾性により、図５に示されているような、元の位置に戻り、係止弾性片２ｄの垂直面２ｄ２が、短側壁３の張出部３ｃの背板部３ｃ３に当接或いは接近して位置する。従って、短側壁３が、底部１方向に回動しようとしても、短側壁３の張出部３ｃが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００２６】
上述したように、折り畳みコンテナーが、箱型に組み立てられた状態においては、図９に示されているように、操作部材５の中央把手部５ａを構成する側板５ａ４の上端から延在する弾性板条片５ｃの先端部が、短側壁３の板状部３ａの中央部領域Ｒ１に突設された係止リブ３ｈの上面に載置されており、操作部材５は、弾性板条片５ｃの弾性力により上方に付勢され、短側壁３の周辺リブ３ｂを構成する上端水平部３ｂ２に当接或いは接近している。また、この状態においては、押出杆４のロッド部４ａの一端に突設された嵌合短軸４ｂは、操作部材５の板状翼部５ｂに形成された互いに平行なカム条片５ｄ間に形成されたカム溝５ｅの下方に位置しており、押出杆４の先端は、上端水平部３ｂ２と上部水平リブ３ｄとの間に位置する側部３ｂ１を越えて、張出部３ｃ側へは突出していない。
【００２７】
箱型に組み立てられた折り畳みコンテナーを折り畳む際には、操作部材５の天板５ａ１と底板５ａ２と奥板５ａ３と相対する側板５ａ４とにより形成された中央把手部５ａの凹部に指をいれ、底板５ａ２に指を当てて、操作部材５を上方に移動させようとする弾性板条片５ｃの付勢力に抗して、操作部材５を下降させる。この操作部材５の下降操作により、図１０に示されているように、押出杆４のロッド部４ａの一端に突設された嵌合短軸４ｂは、操作部材５の板状翼部５ｂに形成された互いに平行なカム条片５ｄのうち上方に位置するカム条片５ｄに沿ってカム溝５ｅの上方に移動し、従って、一対の押出杆４が、互いに離反する方向に水平移動し、押出杆４の先端が、上端水平部３ｂ２と上部水平リブ３ｄとの間に位置する側部３ｂ１を越えて、張出部３ｃ側に突出し、図１１に示されているように、押出杆４が、長側壁２に形成された係止弾性片２ｄの係止突部２ｄ１を、短側壁３の張出部３ｃから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の張出部３ｃから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。なお、操作部材５から手を離すことにより、操作部材５を、上方に移動させようとする弾性板条片５ｃの付勢力により、操作部材５が上昇し、図９に示されているような元の位置に戻ることになる。
【００２８】
上述したように、長側壁２と短側壁３とのロック解除作業を、操作部材５を、板状部３ａの中央部領域Ｒ１内において下動させるという一回の操作（ワンアクション）のみにより行うことができるので、ロック機構の解除作業の作業性が向上する。
【００２９】
また、操作部材５から手を離すことにより、操作部材５が、上方に移動させようとする弾性板条片５ｃの付勢力により、操作部材５が上昇し元の位置に戻るので、押出杆４の先端が、上端水平部３ｂ２と上部水平リブ３ｄとの間に位置する側部３ｂ１を越えて、張出部３ｃ側に突出した状態のままになるようなことがない。従って、押出杆４が突出していて、折り畳みコンテナーの組み立て作業の邪魔になるようなことを防止することができる。
【００３０】
更に、上述したように、ロック解除機構は、合成樹脂で一体成形された一対（２個）の押出杆４と、同じく合成樹脂で一体成形された１個の操作部材５との合計３個の部材のみの少ない部材で構成されているので、ロック解除機構の組み立て及び短側壁３への取り付け作業の作業性が向上するとともに、折り畳みコンテナー自体の組み立て作業の作業性が向上する。
【００３１】
更にまた、操作部材５が、短側壁３の中央部領域Ｒ１に取り付けられた際には、操作部材５を上方に付勢する弾性板条片５ｃが、操作部材５を構成する板状翼部５ｂにより覆われ外側に露出していないので、その先端が、側板５ａ４にのみ連結されており、強度的に弱い弾性板条片５ｃが損傷するようなことを防止することができる。
【００３２】
なお更に、操作部材５が、短側壁３の中央部領域Ｒ１に取り付けられた際には、外側から見えるは操作部材５は、操作部材５を構成する板状翼部５ｂの平坦な面と中央把手部５ａの凹部のみであり、板状翼部５ｂの下部水平枠５ｂ１や垂直枠５ｂ２やカム条片５ｄ等の突設部材が外側から見えるようなことがないので、折り畳みコンテナーの外観上の見栄えがよく、折り畳みコンテナーの商品価値が向上する。
【００３３】
【発明の効果】
本発明は、以上説明した構成を有しているので、以下に記載する効果を奏するものである。
【００３４】
隣接する側壁同士のロック状態を解除するロック解除機構が、一対の押出杆と１個の操作部材とから構成されており、操作部材には、押出杆の嵌合短軸が嵌合するカム溝と操作部材を上方に付勢する弾性板条片が形成されており、且つ、操作部材が取り付けられる側壁には、弾性板条片が載置される係止リブが形成されているので、操作部材の一回の操作（ワンアクション）のみにより、隣接する側壁同士のロック状態を解除することができ、従って、ロック状態の解除作業の作業性が向上する。
【００３５】
また、ロック解除機構は、一対（２個）の押出杆と１個の操作部材との合計３個の部材のみの少ない部材で構成されているので、ロック解除機構の組み立て及び側壁への取り付け作業の作業性が向上するとともに、折り畳みコンテナー自体の組み立て作業の作業性が向上する。
【００３６】
少なくとも、操作部材に配設された弾性板条片が、操作部材の板状翼部により覆われているので、その先端が、操作部材の側板にのみ連結されており、強度的に弱い弾性板条片が損傷するようなことを防止することができる。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの短側壁が回動途中の状態の折り畳みコンテナーの部分斜視図である。
【図５】図５は本発明の折り畳みコンテナーが箱型に組み立てられた状態の角部付近の部分水平断面図である。
【図６】図６は本発明の折り畳みコンテナーの短側壁の部分斜視図である。
【図７】図７は本発明の折り畳みコンテナーの短側壁に配設されるロック解除機構の分解斜視図である。
【図８】図８は本発明の折り畳みコンテナーの短側壁とロック解除機構の分解斜視図である。
【図９】図９はロック解除機構が配設された状態の本発明の折り畳みコンテナーの短側壁の部分斜視図である。
【図１０】図１０はロック解除機構が配設された状態の本発明の折り畳みコンテナーの短側壁の正面図である。
【図１１】図１１は図５と同様の本発明の折り畳みコンテナーが箱型に組み立てられた状態の角部付近の部分水平断面図である。
【符号の説明】
１・・・・・・・・・・・・・・・・・・・・底部
２・・・・・・・・・・・・・・・・・・・・長側壁
２ｂ・・・・・・・・・・・・・・・・・・・係合枠
３・・・・・・・・・・・・・・・・・・・・短側壁
３ｃ・・・・・・・・・・・・・・・・・・・張出部
３ｈ・・・・・・・・・・・・・・・・・・・係止リブ
４・・・・・・・・・・・・・・・・・・・・押出杆
４ａ・・・・・・・・・・・・・・・・・・・ロッド部
４ｂ・・・・・・・・・・・・・・・・・・・嵌合短軸
５・・・・・・・・・・・・・・・・・・・・操作部材
５ｂ・・・・・・・・・・・・・・・・・・・板状翼部
５ｃ・・・・・・・・・・・・・・・・・・・弾性板条片
【図１】
2004292030.tif 000003
【図２】
2004292030.tif 000004
【図３】
2004292030.tif 000005
【図４】
2004292030.tif 000006
【図５】
2004292030.tif 000007
【図６】
2004292030.tif 000008
【図７】
2004292030.tif 000009
【図８】
2004292030.tif 000010
【図９】
2004292030.tif 000011
【図１０】
2004292030.tif 000012
【図１１】
2004292030.tif 000013